(57)【要約】【課題】一覧画像の表示にかかる時間を短縮させる。【解決手段】画像表示装置１０は、画像を表示する表示部１１と、着脱可能な記憶媒体２０の接続に応答して、記憶媒体２０に格納された各フォルダに対して、配下に属するフォルダまたはファイルの名前が並べられて成る一覧画像を作成する一覧画像作成部１２と、一覧画像作成部１２が作成した一覧画像が格納される一覧画像記憶部１３と、記憶媒体２０に格納されたフォルダに対する一覧画像の表示要求に応答して、一覧画像記憶部１３から、表示要求のあったフォルダに対応する一覧画像を抽出し、抽出した一覧画像を表示部１１に表示する表示画像制御部１４と、を有する。【選択図】図１
2012173764.tif 000002
【特許請求の範囲】
【請求項１】
画像を表示する表示部と、
着脱可能な記憶媒体の接続に応答して、前記記憶媒体に格納された各フォルダに対して、配下に属するフォルダまたはファイルの名前が並べられて成る一覧画像を作成する一覧画像作成部と、
前記一覧画像作成部が作成した一覧画像が格納される一覧画像記憶部と、
前記記憶媒体に格納されたフォルダに対する一覧画像の表示要求に応答して、前記一覧画像記憶部から、表示要求のあったフォルダに対応する一覧画像を抽出し、抽出した一覧画像を前記表示部に表示する表示画像制御部と、
を有することを特徴とする画像表示装置。
【請求項２】
前記一覧画像作成部は、前記記憶媒体に格納されたデータに変更があった場合、前記記憶媒体に格納された各フォルダに対して、一覧画像を作成することを特徴とする請求項１記載の画像表示装置。
【請求項３】
前記一覧画像作成部は、前記記憶媒体に格納されたフォルダのうち、格納するデータに変更があったフォルダに対してのみ、一覧画像を作成することを特徴とする請求項１または２記載の画像表示装置。
【請求項４】
前記一覧画像記憶部には、前記記憶媒体の階層構造の一部と、同じ階層構造を成すフォルダ群が格納され、
前記記憶媒体に格納された所定のフォルダに対応する一覧画像は、前記一覧画像記憶部の前記フォルダ群のうち、前記所定のフォルダに対応するフォルダの配下に属していることを特徴とする請求項１〜３のいずれか１項に記載の画像表示装置。
【請求項５】
前記表示部は、電子ペーパーであることを特徴とする請求項１〜４のいずれか１項に記載の画像表示装置。
【請求項６】
着脱可能な記憶媒体の接続に応答して、前記記憶媒体に格納された各フォルダに対して、配下に属するフォルダまたはファイルの名前が並べられて成る一覧画像を作成し、
作成した一覧画像を一覧画像記憶部に格納し、
前記記憶媒体に格納されたフォルダに対する一覧画像の表示要求に応答して、前記一覧画像記憶部から、表示要求のあったフォルダに対応する一覧画像を抽出し、抽出した一覧画像を表示部に表示することを特徴とする画像表示方法。
【発明の詳細な説明】
【技術分野】
【０００１】
本件は、画像表示装置、および、画像表示方法に関する。
【背景技術】
【０００２】
例えば、電子ペーパー端末のように、画像を表示部に表示する画像表示装置が存在する。画像表示装置は、例えば、内蔵する記憶部に格納された画像ファイル、または、着脱可能な記憶媒体から取得した画像ファイルに基づいた画像を表示部に表示する。
【０００３】
また、画像表示装置は、操作者の要求に応答して、内蔵する記憶部または着脱可能な記憶媒体に格納された所定のフォルダに対して、配下に属するフォルダまたはファイルの名前が並べられて成る一覧画像を作成して表示部に表示する。操作者は、例えば、表示部に表示された一覧画像を閲覧して、目的とするフォルダまたはファイルを選択する。
【０００４】
ここで、着脱可能な記憶媒体に格納された所定のフォルダに対応する一覧画像は、操作者からの要求に応答して、着脱可能な記憶媒体から所定のフォルダの配下に属するフォルダまたはファイルの名前を全て取得することで作成される。
【０００５】
なお、画像表示に関して、例えば、コンピュータの記憶部に格納されたファイルの情報を表示する際に、ローカルデータベースの情報に基づいてフォルダ内のファイルの情報をモニタ画面に表示する技術がある（例えば、特許文献１参照）。
【０００６】
また、例えば、外部記憶媒体に格納された画像ファイルを選択された第一フォルダに直属させて記憶手段に格納するとともに、外部記憶媒体に格納された全てのファイルを、外部記憶媒体のディレクトリ木構造を維持したまま記憶手段の第二フォルダに従属させて記憶手段に格納する技術がある（例えば、特許文献２参照）。
【先行技術文献】
【特許文献】
【０００７】
【特許文献１】特開２００３−３００２０号公報
【特許文献２】特開２０１０−１３４９２０号公報
【発明の概要】
【発明が解決しようとする課題】
【０００８】
しかしながら、操作者からの要求に応答して、着脱可能な記憶媒体から所定のフォルダの配下に属するフォルダまたはファイルの名前を全て取得して、一覧画像を作成する場合、着脱可能な記憶媒体からのフォルダまたはファイルの名前の取得には、装置が内蔵する記憶部と比較して時間を要するため、一覧画像の作成に時間がかかる。
【０００９】
このため、操作者が一覧画像の表示を要求してから、一覧画像が表示部に表示されるまでに、多くの時間がかかってしまう可能性があった。
このような点に鑑み、本件では、一覧画像の表示にかかる時間を短縮した画像表示装置、および、画像表示方法を提供することを目的とする。
【課題を解決するための手段】
【００１０】
上記目的を達成するために以下のような画像表示装置、および、画像表示方法が提供される。
この画像表示装置は、画像を表示する表示部と、着脱可能な記憶媒体の接続に応答して、記憶媒体に格納された各フォルダに対して、配下に属するフォルダまたはファイルの名前が並べられて成る一覧画像を作成する一覧画像作成部と、一覧画像作成部が作成した一覧画像が格納される一覧画像記憶部と、記憶媒体に格納されたフォルダに対する一覧画像の表示要求に応答して、一覧画像記憶部から、表示要求のあったフォルダに対応する一覧画像を抽出し、抽出した一覧画像を表示部に表示する表示画像制御部と、を有する。
【００１１】
また、この画像表示方法は、着脱可能な記憶媒体の接続に応答して、記憶媒体に格納された各フォルダに対して、配下に属するフォルダまたはファイルの名前が並べられて成る一覧画像を作成し、作成した一覧画像を一覧画像記憶部に格納し、記憶媒体に格納されたフォルダに対する一覧画像の表示要求に応答して、一覧画像記憶部から、表示要求のあったフォルダに対応する一覧画像を抽出し、抽出した一覧画像を表示部に表示する。
【発明の効果】
【００１２】
開示の画像表示装置、および、画像表示方法によれば、一覧画像の表示にかかる時間を短縮させることが可能となる。
【図面の簡単な説明】
【００１３】
【図１】第１の実施の形態に係る画像表示装置の一例を示す図である。
【図２】第２の実施の形態に係る電子ペーパー端末のハードウェアの一例を示す図である。
【図３】第２の実施の形態に係る電子ペーパー端末の機能の一例を示す図である。
【図４】第２の実施の形態に係るリムーバブルメディアのデータ構造の一例を示す図である。
【図５】第２の実施の形態に係る一覧画像記憶部のデータ構造の一例を示す図である。
【図６】第２の実施の形態に係る一覧画像の一例を示す図である。
【図７】第２の実施の形態に係る一覧画像作成の手順の一例を示すフローチャートである。
【図８】第２の実施の形態に係る表示の手順の一例を示すフローチャートである。
【発明を実施するための形態】
【００１４】
以下、実施の形態を図面を参照して説明する。
［第１の実施の形態］
図１は、第１の実施の形態に係る画像表示装置の一例を示す図である。
【００１５】
画像表示装置１０は、表示部１１と、一覧画像作成部１２と、一覧画像記憶部１３と、表示画像制御部１４とを有している。さらに、画像表示装置１０には、着脱可能な記憶媒体２０が接続される。
【００１６】
記憶媒体２０には、フォルダや画像ファイル等のファイルが格納されている。ここでは、記憶媒体２０には、フォルダ（Ａ）、（Ｂ）、ファイル（Ａ）、（Ｂ）、（Ｃ）が格納され、フォルダ（Ａ）の配下に、フォルダ（Ｂ）、ファイル（Ａ）、（Ｂ）が属し、フォルダ（Ｂ）の配下に、ファイル（Ｃ）が属している。
【００１７】
一覧画像作成部１２は、記憶媒体２０の接続に応答して、記憶媒体２０に格納された各フォルダに対して、配下に属するフォルダまたはファイルの名前が並べられて成る一覧画像を作成する。
【００１８】
一覧画像記憶部１３には、一覧画像作成部１２が作成した一覧画像が格納される。ここでは、一覧画像記憶部１３には、フォルダ（Ｂ）、ファイル（Ａ）、ファイル（Ｂ）の名前が描画された一覧画像２０ａと、ファイル（Ｃ）の名前が描画された一覧画像２０ｂとが格納される。
【００１９】
表示画像制御部１４は、記憶媒体２０に格納されたフォルダに対する一覧画像の表示要求に応答して、一覧画像記憶部１３から、表示要求のあったフォルダに対応する一覧画像を抽出し、抽出した一覧画像を表示部１１に表示する。
【００２０】
次に、画像表示装置１０における処理手順について説明する。
画像表示装置１０に、記憶媒体２０が接続されると、これに応答して、一覧画像作成部１２が、記憶媒体２０に格納された各フォルダに対して、配下に属するフォルダまたはファイルの名前が並べられて成る一覧画像を作成する。
【００２１】
次に、一覧画像作成部１２が、作成した一覧画像を一覧画像記憶部１３に格納する。
次に、操作者から、記憶媒体２０に格納されたフォルダに対する一覧画像の表示要求があると、これに応答して、表示画像制御部１４は、一覧画像記憶部１３から、表示要求のあったフォルダに対応する一覧画像を抽出し、抽出した一覧画像を表示部１１に表示する。
【００２２】
このように、画像表示装置１０によれば、一覧画像作成部１２が、記憶媒体２０の接続に応答して、記憶媒体２０に格納された各フォルダに対して、配下に属するフォルダまたはファイルの名前が並べられて成る一覧画像を作成する。
【００２３】
すなわち、画像表示装置１０によれば、操作者から記憶媒体２０に格納されたフォルダに対応する一覧画像の表示要求があった際、既に一覧画像が作成されている。このため、一覧画像の作成に要する時間の分だけ、一覧画像を表示部１１に表示するまでにかかる時間を短縮することが可能となる。
【００２４】
［第２の実施の形態］
次に、第１の実施の形態に係る画像表示装置１０を、電子ペーパー端末に適用した実施の形態を、第２の実施の形態として説明する。
【００２５】
図２は、第２の実施の形態に係る電子ペーパー端末のハードウェアの一例を示す図である。なお、電子ペーパー端末は、例えば、電子書籍端末として用いられる。
電子ペーパー端末１００は、ＣＰＵ（Central Processing Unit）１０１によって装置全体が制御されている。ＣＰＵ１０１には、バス１０８を介してＳＤＲＡＭ（Synchronous Dynamic Random Access Memory）１０２と、ＶＲＡＭ（Video Random Access Memory）１０３と、ＳＲＡＭ（Static Random Access Memory）１０４と、電子ペーパー１０５と、操作デバイス１０６と、リムーバブルメディアインタフェース１０７とが接続されている。
【００２６】
ＳＤＲＡＭ１０２には、電子ペーパー１０５に表示するための画像が一時保存される。ＶＲＡＭ１０３には、アプリケーションプログラムが電子ペーパー１０５に表示した画像が保持される。ＳＲＡＭ１０４には、各種データが保存される。
【００２７】
電子ペーパー１０５には、ＣＰＵ１０１からの命令に従って、画像が表示される。電子ペーパー１０５は、表示した画像を、電力の供給が停止した後も保持し続けることができる。これにより、電子ペーパー端末１００の低消費電力化を図ることが可能となる。
【００２８】
電子ペーパー１０５は、例えば、対向する透明な基板間に液晶が挟まれた構造を有し、この液晶に光が反射することで、画像が表示される。具体的には、対向する透明な基板にはそれぞれ透明な電極が形成され、この電極に電圧をかけることで、液晶分子の向きが変わり、光の反射が変化することで画像が表示される。そして、電極にかけた電圧を切った後も、液晶分子の向きは変わらないため、画像がそのまま表示保持される。液晶には、例えば、コレステリック液晶が用いられる。
【００２９】
また、電子ペーパー１０５は薄く形成することができる。このため、電子ペーパー端末１００を小型化することが可能となり、持ち運びに適した電子ペーパー端末１００を提供することが可能となる。
【００３０】
操作デバイス１０６は、操作者によって操作され、その操作に基づいた信号をＣＰＵ１０１に送信する。操作デバイス１０６は、例えば、電子ペーパー端末１００の表面に設けられたボタンや、タッチパネル等である。
【００３１】
リムーバブルメディアインタフェース１０７には、着脱可能な記憶媒体であるリムーバブルメディア２００が接続される。リムーバブルメディアインタフェース１０７は、リムーバブルメディア２００に格納されたデータをＣＰＵ１０１に送信し、ＣＰＵ１０１から送信されたデータをリムーバブルメディア２００に格納する。なお、リムーバブルメディア２００には、例えば、ＳＤ（Secure Digital）メモリカードや、ＵＳＢ（Universal Serial Bus）メモリ等が用いられる。
【００３２】
以上のようなハードウェアによって、第２の実施の形態の処理機能を実現することができる。
次に、電子ペーパー端末１００の処理機能について説明する。
【００３３】
図３は、第２の実施の形態に係る電子ペーパー端末の機能の一例を示す図である。
電子ペーパー端末１００は、入出力部１１０と、一覧画像作成部１２０と、一覧画像記憶部１３０と、表示画像制御部１４０と、表示部１５０と、操作部１６０とを有している。
【００３４】
入出力部１１０は、リムーバブルメディア２００と接続し、リムーバブルメディア２００との間でデータの送受信を行う。ここで、リムーバブルメディア２００には、フォルダや画像ファイル等のファイルが格納されている。
【００３５】
一覧画像作成部１２０は、入出力部１１０を介してリムーバブルメディア２００を監視し、リムーバブルメディア２００の接続、および、接続されたリムーバブルメディア２００に格納されたデータの変更を検出する。
【００３６】
さらに、一覧画像作成部１２０は、リムーバブルメディア２００の接続、または、接続されたリムーバブルメディア２００に格納されたデータの変更に応答して、リムーバブルメディア２００に格納された各フォルダに対して、配下に属するフォルダまたはファイルの名前を、入出力部１１０を経由して取得する。そして、一覧画像作成部１２０は、リムーバブルメディア２００に格納された各フォルダに対して、配下に属するフォルダまたはファイルの名前が並べられて成る一覧画像を作成する。
【００３７】
さらに、一覧画像作成部１２０は、作成した一覧画像を一覧画像記憶部１３０に格納する。
さらに、一覧画像作成部１２０は、一覧画像を作成中であるか否かを示すフラグを記憶するフラグ記憶部１２１を有する。一覧画像作成部１２０は、一覧画像を作成する際は、フラグ記憶部１２１に設定フラグを格納し、一覧画像の作成が終了した際は、フラグ記憶部１２１に解除フラグを格納する。
【００３８】
操作部１６０は、表示画像制御部１４０に対して、操作者による操作に基づいて、リムーバブルメディア２００に格納されたフォルダに対する一覧画像の表示要求や、リムーバブルメディア２００に格納されたファイルの表示要求や、表示部１５０に表示された一覧画像の表示の終了要求を行う。
【００３９】
例えば、リムーバブルメディア２００に格納されたフォルダに対する一覧画像の表示要求は、操作者が、表示部１５０に表示されたメニュー画像の中から、フォルダの一覧画像の表示コマンドを選択することで行われる。この場合、操作部１６０は、リムーバブルメディア２００に格納されたフォルダのうち、最上位のフォルダの一覧画像の表示要求を行う。
【００４０】
また、リムーバブルメディア２００に格納されたフォルダに対する一覧画像の表示要求や、リムーバブルメディア２００に格納されたファイルの表示要求は、操作者が、表示部１５０に表示された一覧画像を閲覧して、目的とするフォルダまたはファイルを選択することでも行われる。
【００４１】
さらに、操作部１６０は、リムーバブルメディア２００に対して、操作者による操作に基づいて、格納されているデータの変更等を、入出力部１１０を介して行う。
表示画像制御部１４０は、操作部１６０からリムーバブルメディア２００に格納されたフォルダに対する一覧画像の表示要求を受け付けると、これに応答して、一覧画像記憶部１３０から、表示要求のあったフォルダに対応する一覧画像を抽出し、抽出した一覧画像を表示部１５０に表示する。
【００４２】
さらに、表示画像制御部１４０は、一覧画像作成部１２０のフラグ記憶部１２１に格納されたフラグを監視している。
さらに、表示画像制御部１４０は、操作部１６０からリムーバブルメディア２００に格納されたファイルの表示要求を受け付けると、リムーバブルメディア２００から表示要求のあったファイルを入出力部１１０を介して取得し、取得したファイルに基づいた画像を表示部１５０に表示する。
【００４３】
さらに、表示画像制御部１４０は、操作部１６０から表示部１５０に表示された一覧画像の表示の終了要求を受け付けると、表示部１５０に表示されている一覧画像の表示を終了する。
【００４４】
次に、リムーバブルメディア２００のデータ構造の一例について説明する。
図４は、第２の実施の形態に係るリムーバブルメディアのデータ構造の一例を示す図である。なお、図中の名前が付されている各ブロックはフォルダまたはファイルを示す。名前に［  ］を付けているブロックは、フォルダを示し、それ以外のブロックは、ファイルを示す。
【００４５】
リムーバブルメディア２００に格納されるデータは、階層構造を備えている。ここでは、リムーバブルメディア２００には、名前が、「ＳＤ」、「小説」、「雑誌」、「漫画」、「作家（Ａ）」、「作家（Ｂ）」、「月刊電子ペーパー」のフォルダと、名前が、「未来の夢」、「京都殺人事件」、「１０月号」、「１１月号」、「１２月号」のファイルとが格納されている。これらのファイルは、例えば、電子書籍等の画像ファイルである。
【００４６】
「ＳＤ」のフォルダの配下には、「小説」、「雑誌」、「漫画」のフォルダが属している。「小説」のフォルダの配下には、「作家（Ａ）」、「作家（Ｂ）」のフォルダが属している。「雑誌」のフォルダの配下には、「月刊電子ペーパー」のフォルダが属している。「作家（Ａ）」のフォルダの配下には、「未来の夢」、「京都殺人事件」のファイルが属している。「月刊電子ペーパー」のフォルダの配下には、「１０月号」、「１１月号」、「１２月号」のファイルが属している。
【００４７】
ここで、例えば、「小説」のフォルダのパスは、「￥ＳＤ￥小説」であり、「作家（Ａ）」のフォルダのパスは、「￥ＳＤ￥小説￥作家（Ａ）」である。
次に、一覧画像記憶部１３０のデータ構造の一例について説明する。
【００４８】
図５は、第２の実施の形態に係る一覧画像記憶部のデータ構造の一例を示す図である。なお、図中の名前が付されている各ブロックはフォルダまたはファイルを示す。名前に［  ］を付けているブロックは、フォルダを示す。なお、図５は、図４に示すデータ構造を備えるリムーバブルメディア２００に対応して作成されたデータ構造を示すものである。
【００４９】
一覧画像記憶部１３０に格納されるデータは、階層構造を備えている。一覧画像記憶部１３０には、名前が、「ＳＤ」、「ｉｍｇ」、「小説」、「雑誌」、「漫画」、「作家（Ａ）」、「作家（Ｂ）」、「月刊電子ペーパー」のフォルダと、名前が「index.bmp」の複数の一覧画像とが格納されている。
【００５０】
「ＳＤ」のフォルダの配下には、「ｉｍｇ」のフォルダが属している。「ｉｍｇ」のフォルダの配下には、「小説」、「雑誌」、「漫画」のフォルダが属している。「小説」のフォルダの配下には、「作家（Ａ）」、「作家（Ｂ）」のフォルダが属している。「雑誌」のフォルダの配下には、「月刊電子ペーパー」のフォルダが属している。
【００５１】
そして、「小説」、「雑誌」、「漫画」、「作家（Ａ）」、「作家（Ｂ）」、「月刊電子ペーパー」のフォルダの配下には、それぞれ、「index.bmp」で示される一覧画像１３１〜１３７が属している。
【００５２】
ここで、例えば、一覧画像１３３のパスは、「￥ＳＤ￥ｉｍｇ￥小説￥index.bmp」であり、一覧画像１３１のパスは、「￥ＳＤ￥ｉｍｇ￥小説￥作家（Ａ）￥index.bmp」である。
【００５３】
図６は、第２の実施の形態に係る一覧画像の一例を示す図である。なお、図面中、一覧画像の下には、その画像のパスを図示している。
図６（Ａ）に示される一覧画像１３１は、リムーバブルメディア２００に格納された「作家（Ａ）」のフォルダに対応する一覧画像である。一覧画像１３１には、「作家（Ａ）」のフォルダの配下に属する「未来の夢」、「京都殺人事件」のファイルの名前が、並べて描画されている。
【００５４】
図６（Ｂ）に示される一覧画像１３２，１３６は、リムーバブルメディア２００に格納された「作家（Ｂ）」または「漫画」のフォルダに対応する一覧画像である。「作家（Ｂ）」または「漫画」のフォルダの配下には、フォルダやファイルは１つも属していないので、一覧画像１３２，１３６には、フォルダやファイルの名前は描画されていない。
【００５５】
図６（Ｃ）に示される一覧画像１３３は、リムーバブルメディア２００に格納された「小説」のフォルダに対応する一覧画像である。一覧画像１３３には、「小説」のフォルダの配下に属する「作家（Ａ）」、「作家（Ｂ）」のフォルダの名前が、並べて描画されている。
【００５６】
図６（Ｄ）に示される一覧画像１３４は、リムーバブルメディア２００に格納された「月刊電子ペーパー」のフォルダに対応する一覧画像である。一覧画像１３４には、「月刊電子ペーパー」のフォルダの配下に属する「１０月号」、「１１月号」、「１２月号」のファイルの名前が、並べて描画されている。
【００５７】
図６（Ｅ）に示される一覧画像１３５は、リムーバブルメディア２００に格納された「雑誌」のフォルダに対応する一覧画像である。一覧画像１３５には、「雑誌」のフォルダの配下に属する「月刊電子ペーパー」のフォルダの名前が、描画されている。
【００５８】
図６（Ｆ）に示される一覧画像１３７は、リムーバブルメディア２００に格納された「ＳＤ」のフォルダに対応する一覧画像である。一覧画像１３７には、「ＳＤ」のフォルダの配下に属する「小説」、「雑誌」、「漫画」のフォルダの名前が、並べて描画されている。
【００５９】
このように、一覧画像記憶部１３０に格納されている、「小説」、「雑誌」、「漫画」、「作家（Ａ）」、「作家（Ｂ）」、「月刊電子ペーパー」のフォルダは、リムーバブルメディア２００に格納されているフォルダと同じ階層構造を成している。つまり、一覧画像記憶部１３０には、リムーバブルメディア２００の階層構造の一部と、同じ階層構造を成すフォルダ群が格納されている。
【００６０】
そして、リムーバブルメディア２００に格納された所定のフォルダに対応する一覧画像は、一覧画像記憶部１３０のフォルダ群のうち、所定のフォルダに対応するフォルダの配下に属している。
【００６１】
次に、電子ペーパー端末１００による一覧画像作成の手順について説明する。
図７は、第２の実施の形態に係る一覧画像作成の手順の一例を示すフローチャートである。
【００６２】
以下の処理は、一覧画像作成部１２０が、リムーバブルメディア２００の接続、または、接続されたリムーバブルメディア２００に格納されたデータの変更を検出することで開始される。
【００６３】
［ステップＳ１００］一覧画像作成部１２０が、一覧画像作成中であることを設定する。具体的には、一覧画像作成部１２０は、フラグ記憶部１２１に設定フラグを格納する。
［ステップＳ１０１］一覧画像作成部１２０が、リムーバブルメディア２００に格納されたフォルダのうち、最上位の階層のフォルダを抽出する。例えば、図４に示すデータ構造の場合、「ＳＤ」のフォルダを抽出する。
【００６４】
［ステップＳ１０２］一覧画像作成部１２０が、抽出したフォルダに格納されたデータに対して、一覧画像記憶部１３０に格納された一覧画像を参照し、前回作成した一覧画像からの変更がないかどうかを判定する。変更がある場合、一覧画像作成部１２０は、処理をステップＳ１０３に進める。変更がない場合、一覧画像作成部１２０は、処理をステップＳ１０５に進める。
【００６５】
なお、抽出したフォルダに対応する前回作成した一覧画像が一覧画像記憶部１３０に格納されていない場合、一覧画像作成部１２０は、処理をステップＳ１０３に進める。
［ステップＳ１０３］一覧画像作成部１２０が、抽出したフォルダに対して、配下に属するフォルダまたはファイルの名前を、入出力部１１０を介してリムーバブルメディア２００から取得する。そして、一覧画像作成部１２０は、抽出したフォルダに対して、配下に属するフォルダまたはファイルの名前が並べられて成る一覧画像を作成する。
【００６６】
［ステップＳ１０４］一覧画像作成部１２０が、作成した一覧画像を一覧画像記憶部１３０に格納する。
［ステップＳ１０５］一覧画像作成部１２０が、リムーバブルメディア２００に他のフォルダが存在するか否かを判定する。存在する場合、一覧画像作成部１２０は、処理をステップＳ１０６に進める。存在しない場合、一覧画像作成部１２０は、処理をステップＳ１０７に進める。
【００６７】
［ステップＳ１０６］一覧画像作成部１２０が、リムーバブルメディア２００に格納された他のフォルダを抽出して、処理をステップＳ１０２に進める。例えば、前回抽出したフォルダと同層に他のフォルダが存在する場合、同層の他のフォルダを抽出する。前回抽出したフォルダと同層に他のフォルダが存在しない場合、下層のフォルダのうち、最上位のフォルダを抽出する。
【００６８】
［ステップＳ１０７］一覧画像作成部１２０が、一覧画像作成中であることを解除して処理を終了する。具体的には、一覧画像作成部１２０は、フラグ記憶部１２１に解除フラグを格納する。
【００６９】
次に、電子ペーパー端末１００による表示の手順について説明する。
図８は、第２の実施の形態に係る表示の手順の一例を示すフローチャートである。
以下の処理は、表示画像制御部１４０が、操作部１６０からの要求を受け付けることで開始される。
【００７０】
［ステップＳ２００］表示画像制御部１４０が、操作部１６０から受け付けた要求が、リムーバブルメディア２００に格納されたフォルダに対する一覧画像の表示要求かどうかを判定する。一覧画像の表示要求である場合、表示画像制御部１４０は、処理をステップＳ２０１に進める。一覧画像の表示要求ではない場合、表示画像制御部１４０は、処理をステップＳ２０６に進める。
【００７１】
［ステップＳ２０１］表示画像制御部１４０が、一覧画像作成部１２０が一覧画像作成中であるかどうかを判定する。一覧画像作成中である場合、表示画像制御部１４０は、処理をステップＳ２０２に進める。一覧画像作成中ではない場合、表示画像制御部１４０は、処理をステップＳ２０３に進める。
【００７２】
具体的には、表示画像制御部１４０は、フラグ記憶部１２１に格納されたフラグを監視することで、一覧画像作成中であるかどうかを判定する。表示画像制御部１４０は、フラグ記憶部１２１に設定フラグが格納されている場合は、一覧画像作成中であると判定し、フラグ記憶部１２１に解除フラグが格納されている場合は、一覧画像作成中ではないと判定する。
【００７３】
［ステップＳ２０２］表示画像制御部１４０が、一覧画像の作成が終了するまで待機する。具体的には、表示画像制御部１４０は、フラグ記憶部１２１に解除フラグが格納されるまで待機する。
【００７４】
［ステップＳ２０３］表示画像制御部１４０が、表示要求のあったフォルダに対応する一覧画像のパスを生成する。一覧画像記憶部１３０に格納された一覧画像のパスは、リムーバブルメディア２００に格納されている対応するフォルダのパスを用いて生成することができる。
【００７５】
例えば、図５に示す「作家（Ａ）」のフォルダに対応する一覧画像１３１のパス「￥ＳＤ￥ｉｍｇ￥小説￥作家（Ａ）￥index.bmp」は、リムーバブルメディア２００に格納された「作家（Ａ）」のフォルダのパス「￥ＳＤ￥小説￥作家（Ａ）」に対して、上位部分の一部を変更することのみで生成することができる。
【００７６】
なお、表示画像制御部１４０が、一覧画像のパスを予め生成しておいてもよく、この場合はステップＳ２０３を省略することも可能である。
［ステップＳ２０４］表示画像制御部１４０が、生成したパスを用いて、一覧画像記憶部１３０から、表示要求のあったフォルダに対応する一覧画像を抽出する。
【００７７】
［ステップＳ２０５］表示画像制御部１４０が、抽出した一覧画像を表示部１５０に表示して処理を終了する。
［ステップＳ２０６］表示画像制御部１４０が、操作部１６０から受け付けた要求が、リムーバブルメディア２００に格納されたファイルの表示要求であるかどうかを判定する。ファイルの表示要求である場合、表示画像制御部１４０は、処理をステップＳ２０７に進める。ファイルの表示要求ではない場合、表示画像制御部１４０は、処理をステップＳ２０８に進める。
【００７８】
［ステップＳ２０７］表示画像制御部１４０が、リムーバブルメディア２００から表示要求のあったファイルを入出力部１１０を介して取得し、取得したファイルに基づいた画像を表示部１５０に表示して処理を終了する。
【００７９】
［ステップＳ２０８］表示画像制御部１４０が、操作部１６０から受け付けた要求が、表示部１５０に表示された一覧画像の表示の終了要求であるかどうかを判定する。終了要求である場合、表示画像制御部１４０は、処理をステップＳ２０９に進める。終了要求ではない場合、表示画像制御部１４０は、処理を終了する。
【００８０】
［ステップＳ２０９］表示画像制御部１４０は、表示部１５０に表示されている一覧画像の表示を終了して処理を終了する。
以上説明してきたように、電子ペーパー端末１００によれば、一覧画像作成部１２０は、リムーバブルメディア２００の接続、または、接続されたリムーバブルメディア２００に格納されたデータの変更に応答して、リムーバブルメディア２００に格納された各フォルダに対して、配下に属するフォルダまたはファイルの名前が並べられて成る一覧画像を作成する。
【００８１】
すなわち、電子ペーパー端末１００によれば、操作部１６０からリムーバブルメディア２００に格納されたフォルダに対応する一覧画像の表示要求があった際、既に一覧画像が作成されている。このため、一覧画像の作成に要する時間の分だけ、一覧画像を表示部１５０に表示するまでにかかる時間を短縮することが可能となる。
【００８２】
さらに、電子ペーパー端末１００によれば、一覧画像作成部１２０は、図７に示すステップＳ１０１〜Ｓ１０６で説明したように、リムーバブルメディア２００に格納されたフォルダのうち、格納するデータに変更があったフォルダに対してのみ、一覧画像を作成する。
【００８３】
このため、一覧画像の作成によりＣＰＵ１０１にかかる負荷を、低減することが可能となる。
さらに、電子ペーパー端末１００によれば、一覧画像記憶部１３０には、リムーバブルメディア２００の階層構造の一部と、同じ階層構造を成すフォルダ群が格納されている。そして、リムーバブルメディア２００に格納された所定のフォルダに対応する一覧画像は、一覧画像記憶部１３０のフォルダ群のうち、所定のフォルダに対応するフォルダの配下に属している。
【００８４】
このため、表示画像制御部１４０は、一覧画像記憶部１３０に格納されている一覧画像のパスを、リムーバブルメディア２００に格納されているフォルダのパスを用いて容易に生成することが可能となる。
【符号の説明】
【００８５】
１０  画像表示装置
１１，１５０  表示部
１２，１２０  一覧画像作成部
１３，１３０  一覧画像記憶部
１４，１４０  表示画像制御部
２０  記憶媒体
２０ａ，２０ｂ，１３１〜１３７  一覧画像
１００  電子ペーパー端末
１０１  ＣＰＵ
１０２  ＳＤＲＡＭ
１０３  ＶＲＡＭ
１０４  ＳＲＡＭ
１０５  電子ペーパー
１０６  操作デバイス
１０７  リムーバブルメディアインタフェース
１０８  バス
１１０  入出力部
１２１  フラグ記憶部
１６０  操作部
【図１】
2012173764.tif 000003
【図２】
2012173764.tif 000004
【図３】
2012173764.tif 000005
【図４】
2012173764.tif 000006
【図５】
2012173764.tif 000007
【図６】
2012173764.tif 000008
【図７】
2012173764.tif 000009
【図８】
2012173764.tif 000010